(57)【特許請求の範囲】
【請求項１】
溝の開口面をその幅方向に跨ぐ多数のカバーユニットで覆う構造の溝蓋において、長手方向の中間部両側面に突起が形成された多数のカバーユニットを、隣接する突起が互いに接する間隔をおいて並設して上記突起を挟んでその両端部寄りを隣接する突起を当接支点として対向角度の変更範囲を規定する接続杆で順次並設状に接続するとともに、接続杆とカバーユニットとの間に、カバーユニットをその並設方向に対して湾曲設置可能にする遊びを設けたことを特徴とする溝蓋。
【請求項２】
接続杆とカバーユニットとの間に、並設状に接続されたカバーユニットをその並設方向に対して一面を内側に巻き込み可能にする遊びを設けたことを特徴とする請求項１記載の溝蓋。
【請求項３】
溝の開口面をその幅方向に跨ぐ多数のカバーユニットで覆う構造の溝蓋において、長手方向の中間部両側面に突起が形成された多数のカバーユニットを、隣接する突起が互いに接する間隔をおいて並設して上記突起を挟んでその両端部寄りを隣接する突起を当接支点として対向角度の変更範囲を規定する丸棒状の接続杆で順次並設状に接続するとともに、丸棒状の接続杆をカバーユニットに対して軸方向および周方向に遊合させたことを特徴とする溝蓋。
【請求項４】
複数のカバーユニットを一群として同一の接続杆で接続し、その接続杆の軸方向の遊びを規制して当該一群のカバーユニットに略平行状態を保持させることを特徴とする請求項１ないし請求項３のいずれかに記載の溝蓋。
【発明の詳細な説明】
【０００１】
【産業上の利用分野】
本発明は、道路の排水溝、プールサイドやバスルームの排水溝などの溝の開口面を覆う溝蓋に関する。
【０００２】
【従来の技術】
道路の排水溝、プールサイドやバスルーム等の排水溝の溝蓋は、道路面や床面に掘り込んで上面開口状に形成された溝の開口面を覆って、歩行等の安全確保や物の落ち込みを防止するものであるが、排水を妨げないように、カバーユニットを小間隔をおいて連続状に順次並設した構造のものが用いられている。
実開昭６１−２４６１５号公報および実開平４−３７６８６号公報には、そのような構造の溝蓋が記載されている。
【０００３】
【発明が解決しようとする課題】
ところで、実開昭６１−２４６１５号公報および実開平４−３７６８６号公報に記載されている従来の溝蓋は、溝が直線状でなく湾曲していても、その湾曲状態に応じて溝の開口面をカバーできるものである。
しかし、実開昭６１−２４６１５号公報に記載されているものでは、カバーユニットを溝の湾曲に沿わせて設置するための構造が複雑で部品点数が多いだけでなく、各カバーユニットを湾曲状に設置するためにはネジの操作が必要であるうえ、各カバーユニットを支持しているスプリングの経時的劣化や泥などの介在堆積により各カバーユニットの湾曲設置が困難になるなどの不都合がある。
また、実開平４−３７６８６号公報に記載されている一例で、カバーユニットの長手方向の中間部両側に突起を突設して隣接するカバーユニットをその突起の部位で順次枢着してカバーを構成したものでは、溝の開口面に設置する際、また設置後において各カバーユニットが中間部の枢着部で左右に動いてしまい、各カバーユニットの間隔がまちまちになって、溝蓋に間隔の広すぎる部分が生じやすく、安全性や外観性に問題がある。
同じく実開平４−３７６８６号公報に記載されている他の例で、カバーユニットの長手方向の中間部両側に突出部を一体に形成して、隣接するカバーユニットを、それらの突出部が互いに当接するように、長手方向の両端部を弾性紐で順次連結してなるものでは、弾性紐の弾性が耐候性、耐水性、耐寒性などで劣り、耐久性に問題がある。
【０００４】
本発明は、このような従来の問題点を解消することを目的とし、溝がどのように湾曲していても、その湾曲形状に応じて設置することができるとともに、設置時および設置後において各カバーユニットが所定の設置間隔に保たれて、安全性および外観性にすぐれ、しかも、構造が簡素であるうえ必要に応じて構成部品の交換が可能であって、耐久性にすぐれた溝蓋を提供しようとするものである。
【０００５】
【課題を解決するための手段】
本発明は、上記目的を達成するための技術的手段として、次のように構成した。
すなわち、その第１の構成は、溝の開口面をその幅方向に跨ぐ多数のカバーユニットで覆う構造の溝蓋において、長手方向の中間部両側面に突起が形成された多数のカバーユニットを、隣接する突起が互いに接する間隔をおいて並設して上記突起を挟んでその両端部寄りを隣接する突起を当接支点として対向角度の変更範囲を規定する接続杆で順次並設状に接続するとともに、接続杆とカバーユニットとの間に、カバーユニットをその並設方向に対して湾曲設置可能にする遊びを設けた溝蓋である。
【０００６】
その第２の構成は、上記第１の構成において、接続杆とカバーユニットとの間に、並設状に接続されたカバーユニットをその並設方向に対して一面を内側に巻き込み可能にする遊びを設けたものである。
【０００７】
その第３の構成は、溝の開口面をその幅方向に跨ぐ多数のカバーユニットで覆う構造の溝蓋において、長手方向の中間部両側面に突起が形成された多数のカバーユニットを、隣接する突起が互いに接する間隔をおいて並設して上記突起を挟んでその両端部寄りを隣接する突起を当接支点として対向角度の変更範囲を規定する丸棒状の接続杆で順次並設状に接続するとともに、丸棒状の接続杆をカバーユニットに対して軸方向および周方向に遊合させた溝蓋である。
【０００８】
その第４の構成は、上記第１ないし第３のいずれかの構成において、複数のカバーユニットを一群として同一の接続杆で接続し、その接続杆の軸方向の遊びを規制して当該一群のカバーユニットに略平行状態を保持させるものである。
【０００９】
【作用】
本発明に係る溝蓋によれば、多数のカバーユニットを順次並設状に接続する接続杆とカバーユニットとの間に、カバーユニットをその並設方向に対して湾曲設置可能にする遊びが設けられているので、溝の湾曲状態に応じて各カバーユニットは接続杆との遊びの範囲で対向角度を自由に変えることができ、溝の湾曲形状に沿って溝蓋を湾曲状に設置することができる。
そして、各カバーユニットの対向角度は、互いに接する突起を当接支点として接続杆の遊びの範囲内で変わるので、設置時はもとより設置後において各カバーユニットの対向間隔は不規則に変化することがない。
【００１０】
さらに、並設状に接続されたカバーユニットをその並設方向に対して一面を内側に巻き込み可能にする遊びを設けたものでは、溝蓋を巻き込むことができて、収納や運搬等が容易であり、また設置や撤去、再度の設置等の作業が容易にできる。
【００１１】
また、多数のカバーユニットを丸棒状の接続杆で順次並設状に接続するとともに、丸棒状の接続杆をカバーユニットに対して軸方向および周方向に遊合させることにより、湾曲状に設置することができ、しかも巻き込みができる溝蓋となる。
【００１２】
複数のカバーユニットを一群として同一の接続杆で接続し、その接続杆の軸方向の遊びを規制して当該一群のカバーユニットに略平行状態を保持させることにより、一部のカバーユニットを常に平衡状態とすることができ、その部分を巻芯として巻き込みが容易になるうえ、設置の場合においても平衡状態を保持する部分を基準として容易に作業を行うことができる。
【００１３】
【実施例】
本発明の実施例を図面について説明する。
図１および図２において、１はカバーユニットであって、このカバーユニット１は断面がコ字状であり、溝２を跨いで両側縁の凹部３，３間に掛けわたる長さの対向離隔した桟１１と桟１２の間に空隙１３を有し、桟１１と桟１２は天板１４で一体に連設して形成されている。カバーユニット１には、その長手方向の中間部両側面にカバーユニット１を均等に配置するための突起４，４が形成されており、突起４，４を挟んでその両端部寄りにはそれぞれ孔５，５が設けられている。この孔５はカバーユニット１の底面側に狭幅の切欠部６からなる開口部を有している。
カバーユニット１は、硬質熱可塑性樹脂を射出成形することにより製造される。
【００１４】
溝蓋７は、図２に示すように、各カバーユニット１を多数隣接する突起４，４が互いに接する間隔をおいて並設し、互いに隣接する孔５，５間に接続杆８を通して順次接続して構成される。接続杆８はその両端に抜止部９，９を有しており、接続杆８を切欠部６から孔５に強く嵌め込むことにより隣接するカバーユニット１を互いに接続している。
【００１５】
上記接続杆８は、断面形状が円形の丸棒状のものであり、接続杆８と各カバーユニット１の孔５との間には、接続杆８の軸方向と周方向にそれぞれ遊びを有している。
接続杆８の軸方向の遊びは、各カバーユニット１が図２に示すように、隣接する突起４，４を当接支点として対向角度を変えられるようにするためのものであり、接続杆８の抜止部９は対向離隔した桟１１，１２の間に空隙１３により軸方向に移動可能である。そして、対向角度の変更範囲は接続杆８の抜止部９，９間の長さで一定に規定される。
また、接続杆８の周方向の遊び、すなわち上下方向の遊びは、図３に示すように、カバーユニット１をその並設方向に対して一面を内側に巻き込み可能にするためのものであり、カバーユニット１の孔５の上下方向の開口長さは、接続杆８の直径より大きく形成されている。
【００１６】
本発明に係る溝蓋７は、溝２の湾曲形状に応じて設置できることが必須要件であるから、少なくとも接続杆８と各カバーユニット１の孔５との間には接続杆８の軸方向に遊びを有することが必要である。したがって、接続杆８はその断面形状が必ずしも円形のものでなく、例えば多角形状のものであってもよい。
【００１７】
上記のように各カバーユニット１の孔５に嵌め込んだ接続杆８は、切欠部６の開口側に強く押し出すことにより取り外すことが可能であるから、耐用期間が過ぎたものや破損したものは、それを新しいものと交換することができ、容易に溝蓋７の修復を図ることができる。
【００１８】
図４には他の実施例が示されている。
この実施例では、複数のカバーユニット１のうち、その一群のカバーユニット１ａ，１ｂ，１ｃ，１ｄを同一の接続杆８ａで接続し、その接続杆８ａにはその軸方向の遊びの距離を規制する膨出部１０，１０が設けられていて、当該一群のカバーユニット１ａ，１ｂ，１ｃ，１ｄに略平行状態を保持させるようにしたものである。なお、この実施例では、上記のほかのカバーユニット１ｅ，１ｆ，・・・・も２つずつを一群として接続杆８ｂにより接続した構成としている。
【００１９】
図４に示す実施例においては、一群のカバーユニット１ａ，１ｂ，１ｃ，１ｄの部分が常に平行状態を保持するので、この部分を巻芯とすることにより、溝蓋７の巻き込みが容易にできる。
また、溝蓋７を溝３に設置する場合にも、その平衡状態を保持する部分を設置基準とすることにより、設置作業を容易に行うことができる。
【００２０】
図５はさらに他の実施例が示されている。
この実施例においても、カバーユニット１は断面がコ字状であり、溝２を跨いで両側縁の凹部３，３間に掛けわたる長さの対向離隔した桟１１と桟１２の間に空隙１３を有し、桟１１と桟１２は天板１４で一体に連設して形成されているが、カバーユニット１ｃ，１ｄにはそれぞれ接続杆８ｃ，８ｄが一体に構成されている。そして、このように構成することにより部品点数をさらに少なくすることができる。
【００２１】
【発明の効果】
本発明によれば、溝の形状によって微妙な修正が容易にでき、溝がどのように湾曲していても、その湾曲形状に応じて設置することができるとともに、設置時および設置後において各カバーユニットが所定の設置間隔に保たれて、安全性および外観性にすぐれ、しかも、構造が簡素であるうえ必要に応じて構成部品の交換が可能であって、耐久性にすぐれた溝蓋を得ることができる。
【図面の簡単な説明】
【図１】本発明に係る溝蓋を構成するカバーユニットの正面図である。
【図２】図１のＡ−Ａ線矢視方向の断面図である。
【図３】図２に示す溝蓋の巻き込み態様を示す断面図である。
【図４】本発明に係る溝蓋の他の実施例を示す断面図である。
【図５】本発明に係る溝蓋のさらに他の実施例を示す断面図である。
【符号の説明】
１，１ａ，１ｂ，１ｃ，１ｄ，１ｅ，１ｆ，・・・・・  カバーユニット
２  溝
３  両側縁の凹部
４  突起
５  孔
６  切欠部
７  溝蓋
８，８ａ，８ｂ，８ｃ，８ｄ  接続杆
９，９ｃ，９ｄ  抜止部
１０  膨出部
１１  桟
１２  桟
１３  空隙
１４  天板
【図１】
0003559807.tif 000002
【図２】
0003559807.tif 000003
【図３】
0003559807.tif 000004
【図４】
0003559807.tif 000005
【図５】
0003559807.tif 000006